(57)【要約】【課題】光コネクタアダプタが配列設置されたアダプタ配列部において、光コネクタアダプタに対する光コネクタ（光コネクタプラグ）の着脱作業を効率良く行える技術の開発。【解決手段】光コネクタアダプタ１３を収納できる門形のヘッド部４の両側壁４２から延出する一対の延出シート部５ａ、５ｂを具備し、一対の延出シート部５ａ、５ｂの一方又は他方に、上下多段の光コネクタアダプタ１３のプラグ穴１３ａに対応する線番表示８が設けられているコネクタ作業用補助具１を提供する。【選択図】図３
2008224891.tif 000002
【特許請求の範囲】
【請求項１】
光コネクタアダプタが上下多段に設けられているアダプタ配列部にて、前記光コネクタアダプタに対する光コネクタの着脱作業に用いられるコネクタ作業用補助具であって、
前記光コネクタアダプタを収納可能な門形に形成されたヘッド部と、ヘッド部の内側空間を介して両側の側壁から延出する一対の延出シート部とを具備し、前記ヘッド部に光コネクタアダプタを収納したときに、前記ヘッド部に収納された前記光コネクタアダプタに接続されている光コネクタから延出する光ファイバを、前記ヘッド部の両側の側壁及び両側壁から延出する一対の延出シート部の間に確保された作業用空間に通せるようになっており、
前記一対の延出シート部は、ヘッド部から遠い側ほど互いの距離が拡がる末広がりに設けられ、一方又は両方の延出シート部には、上下多段の前記光コネクタアダプタに対応する線番表示が、前記作業用空間の側から視認可能に設けられ、
前記ヘッド部又は前記延出シート部には、前記アダプタ配列部に突設されている位置決め部材上に載せることで、前記線番表示を、前記ヘッド部の内側の各光コネクタアダプタに対応する位置に位置決めするための位置決め部が設けられていることを特徴とするコネクタ作業用補助具。
【請求項２】
前記延出シート部が透明又は半透明の樹脂製シートであり、延出シート部を介して作業用空間とは反対側の光ファイバを作業用空間側から透視可能になっていることを特徴とする請求項１記載のコネクタ作業用補助具。
【請求項３】
前記ヘッド部及び前記延出シート部を含む全体が、一枚のシートによって形成されていることを特徴とする請求項１又は２記載のコネクタ作業用補助具。
【請求項４】
前記光コネクタアダプタは、補助具載せ台の上側に設けられたアダプタ支持部材に上下多段に取り付けられ、前記ヘッド部の両側の側壁を連結する連結壁が上端、前記両側壁の連結壁とは反対側の端部が下端となる向きで、前記ヘッド部を前記補助具載せ台上に載せて前記下端を前記補助具載せ台の上面に当接させ、前記ヘッド部の前記内側空間に前記光コネクタアダプタを収納することで、前記線番表示が各光コネクタアダプタに位置決めされるようになっており、前記補助具載せ台が位置決め部材として機能することを特徴とする請求項１〜３のいずれかに記載のコネクタ作業用補助具。
【請求項５】
前記ヘッド部の一対の側壁を連結する連結壁を、前記ヘッド部の内側空間に収納した光コネクタアダプタに上から当接させることで、前記線番表示が各光コネクタアダプタに位置決めされるようになっており、前記光コネクタアダプタが位置決め部材として機能することを特徴とする請求項１〜３のいずれかに記載のコネクタ作業用補助具。
【請求項６】
前記ヘッド部は、一対の側壁を連結する連結壁の外面側に突設された弾性片を有し、前記ヘッド部に光コネクタアダプタを収納したときに、前記弾性片が、前記ヘッド部に収納された光コネクタアダプタの上方に設けられている、前記アダプタ支持部材に対して固定の弾性片当接部材を押圧することで前記ヘッド部を前記位置決め部材に付勢することを特徴とする請求項４又は５記載のコネクタ作業用補助具。
【請求項７】
前記弾性片が前記ヘッド部に対して着脱可能であり、前記弾性片を、前記弾性片当接部材と前記位置決め部材との間の距離に応じて選択使用できることを特徴とする請求項６記載のコネクタ作業用補助具。
【請求項８】
前記延出シート部に、前記ヘッド部に収納した光コネクタアダプタに接続されている光コネクタから延出され前記作業用空間に通される光ファイバを前記延出シート部に離脱可能に引き留めるファイバ留め具が設けられていることを特徴とする請求項１〜７のいずれかに記載のコネクタ作業用補助具。
【請求項９】
前記ファイバ留め具が、一対の前記延出シート部の一方又は両方の前記作業用空間に臨む側に設けられていることを特徴とする請求項８記載のコネクタ作業用補助具。
【発明の詳細な説明】
【技術分野】
【０００１】
本発明は、光コネクタアダプタが上下多段に設けられているアダプタ配列部にて、前記光コネクタアダプタに対する光コネクタ（光コネクタプラグ）の接続又は抜き去りを行う際に用いて好適なコネクタ作業用補助具に関する。
【背景技術】
【０００２】
光配線盤、光接続箱等の光機器にあっては、光コネクタアダプタを、上下左右に配列させて多数設置したアダプタ配列部を設けた構成が多く採用されている（例えば、特許文献１）。
なお、ここでは、多連の光コネクタアダプタについては、光コネクタ（光コネクタプラグ）を１つ接続できる光コネクタアダプタを複数配列させて一体化したものと見なせる。光コネクタが挿入されるプラグ穴が１つ形成されている部分を１つの光コネクタアダプタと見なすことができる。プラグ穴の数が、光コネクタアダプタの数に相当する。
【０００３】
光配線盤等では、高密度化の要求に鑑みて、アダプタ配列部の高密度化が進展している。
光コネクタアダプタに接続した光コネクタは、フェルールが組み込まれている前端部が光コネクタアダプタのプラグ穴に収納される。光コネクタにおいて、光コネクタアダプタに対する挿脱作業のために、手指や、専用の作業用工具（例えば、特許文献２、３）で把持する部分は、プラグ穴に収納される前端部から後側に位置しており、光コネクタアダプタから突出される。
光コネクタアダプタが高密度に設置されたアダプタ配列部では、各光コネクタアダプタに接続した光コネクタ（光コネクタプラグ）も高密度に配列設置されることになるため、作業者が手指で直接光コネクタを把持して光コネクタアダプタに着脱するといった作業がしにくくなる。
【０００４】
これに鑑みて、作業用工具（以下、コネクタ作業用工具とも言う）が提供されている（例えば、特許文献２，３）。このコネクタ作業用工具は、例えば、いわゆるＳＣ２形光コネクタ（ＳＣ形光コネクタからつまみを省略した光コネクタプラグ）等のプッシュオン結合方式の光コネクタプラグや、ＳＣ形光コネクタ（ＪＩＳ  Ｃ  ５９７３に制定されるＦ０４形光コネクタ。ＳＣ：Single fiberCoupling optical fiber connector）、ＭＵ形光コネクタ（ＪＩＳ  Ｃ  ５９８３に制定されるＦ１４形光コネクタ。ＭＵ:Miniature-Unit coupling optical fiber connector）等の、プッシュプル結合方式で光コネクタアダプタと結合するタイプの光コネクタプラグに適用して、光コネクタアダプタに対する光コネクタの接続や抜き去り（特許文献２の工具は、抜き去りのみ可能）に用いることができる。
【０００５】
特許文献２のコネクタ作業用工具（光コネクタ用工具）は、光コネクタアダプタに接続されている光コネクタの抜き去り用の工具である。このコネクタ作業用工具は、使用者が手で把持するためのグリップ付きの工具本体に、光コネクタの両側部に係合可能な爪が先端部に突設されている細長ピン状の一対の係合可動片を枢着してある。係合可動片の先端部の爪を、光コネクタアダプタに接続されている光コネクタの両側部に係合させて、光コネクタを一対の係合可動片の先端部の間に把持した状態で、光コネクタアダプタから引っ張ることができる。また、このコネクタ作業用工具は、工具本体から延出する一対の細長片である差込片を、光コネクタアダプタに接続されている光コネクタの両側部に沿わせるようにして光コネクタアダプタに向けて押し込んでいくことで、光コネクタに係合している光コネクタアダプタの係合爪（弾性爪）を押し動かして係合を解除できる。
特許文献３のコネクタ作業用工具（光コネクタ着脱工具）は、光コネクタアダプタに接続されている光コネクタの抜き去り、及び、光コネクタアダプタに対する光コネクタの挿入、接続、の両方の作業を行える。このコネクタ作業用工具も、使用者が手指で把持するためのグリップ付きの工具本体と、工具本体に枢着され、光コネクタに係合可能な爪が先端に突設されている細長ピン状の一対の係合可動片と、光コネクタに係合している光コネクタアダプタの係合爪（弾性爪）を押し動かして係合を解除する係合解除用の細長片である一対の差込片とを具備している点では、上述の特許文献２のコネクタ作業用工具と同様である。但し、特許文献３に係るコネクタ作業用工具は、一対の差込片を、工具本体からの突出寸法を縮小するように移動操作して、差込片先端を、光コネクタに対する光コネクタアダプタの係合爪の係合の障害とならない位置に待避させることが可能である。
特許文献２，３のようなコネクタ作業用工具の係合可動片、差込片は、いずれも細長の部材であり、アダプタ配列部において、光コネクタアダプタに接続された光コネクタが、多数、高密度に配列された状況であっても、光コネクタアダプタの近くにまで容易に挿入でき、光コネクタアダプタに対する光コネクタの接続や抜き去り（特許文献２の工具は、抜き去りのみ可能）といった作業の作業性を確保できる。
【特許文献１】特開２００１−１３３６３６号公報
【特許文献２】特開２０００−３２９９４６号公報
【特許文献３】特開２００２−０２３０１２号公報
【発明の開示】
【発明が解決しようとする課題】
【０００６】
ところで、アダプタ配列部に、光コネクタアダプタに接続された光コネクタが、多数、高密度に配列された状況では、前記光コネクタの光コネクタアダプタから突出した部分（後端）から下方へ湾曲して垂れ下がるように延出する光ファイバが、前記光コネクタから下方に位置する光コネクタアダプタを覆うようにして、アダプタ配列部の近傍に高密度に配線される。このため、以下のような問題があった。
（１）光コネクタアダプタが、アダプタ配列部の近傍に配線された光ファイバによって隠されてしまう。このため、光コネクタが接続されていない空きのプラグ穴の位置確認や、抜き去り対象の光コネクタの位置確認が簡単ではなく、上述のようなコネクタ作業用工具を用いても作業性の向上に限界がある。光コネクタが接続されていない空きのプラグ穴が互いに隣り合って複数存在する場合は、光コネクタの誤接続が発生する可能性が比較的高くなるため、念入りな作業確認を要するなど、手間が掛かる。
（２）上述のコネクタ作業用工具のコネクタ作業用工具の係合可動片、差込片は、いずれも細長であるため、光コネクタアダプタに接続されている光コネクタから垂れ下がる光ファイバによって光コネクタアダプタが覆われている状況であっても、光コネクタアダプタの近くに挿入すること自体は容易である。しかし、工具に接触する光ファイバが工具の操作の邪魔になり、作業性に影響を与える。
なお、アダプタ配列部の下側に行くほど、光コネクタアダプタに接続されている光コネクタから垂れ下がる光ファイバの本数が多くなる。このため、特に、アダプタ配列部の下部に位置する光コネクタアダプタについては、上述の（１）、（２）の問題が発生しやすくなる。
【０００７】
本発明は、前記課題に鑑みて、アダプタ配列部の光コネクタアダプタに接続された光コネクタから下方へ延出する光ファイバが、前記光コネクタから下方に位置する光コネクタアダプタを覆うようにしてアダプタ配列部の近傍に配線されている状況であっても、アダプタ配列部の光コネクタアダプタに対する光コネクタの接続、抜き去りの作業性を容易に確保でき、しかも、光コネクタアダプタに対する光コネクタの接続あるいは抜き去りの作業中に、光コネクタアダプタの位置確認（線番識別）を容易に行えるコネクタ作業用補助具の提供を目的としている。
【課題を解決するための手段】
【０００８】
上記課題を解決するために、本発明では以下の構成を提供する。
本発明では、光コネクタアダプタが上下多段に設けられているアダプタ配列部にて、前記光コネクタアダプタに対する光コネクタの着脱作業に用いられるコネクタ作業用補助具であって、前記光コネクタアダプタを収納可能な門形に形成されたヘッド部と、ヘッド部の内側空間を介して両側の側壁から延出する一対の延出シート部とを具備し、前記ヘッド部に光コネクタアダプタを収納したときに、前記ヘッド部に収納された前記光コネクタアダプタに接続されている光コネクタから延出する光ファイバを、前記ヘッド部の両側の側壁及び両側壁から延出する一対の延出シート部の間に確保された作業用空間に通せるようになっており、前記一対の延出シート部は、ヘッド部から遠い側ほど互いの距離が拡がる末広がりに設けられ、一方又は両方の延出シート部には、上下多段の前記光コネクタアダプタに対応する線番表示が、前記作業用空間の側から視認可能に設けられ、前記ヘッド部又は前記延出シート部には、前記アダプタ配列部に突設されている位置決め部材上に載せることで、前記線番表示を、前記ヘッド部の内側の各光コネクタアダプタに対応する位置に位置決めするための位置決め部が設けられていることを特徴とするコネクタ作業用補助具を提供する。
第２の発明は、前記延出シート部が透明又は半透明の樹脂製シートであり、延出シート部を介して作業用空間とは反対側の光ファイバを作業用空間側から透視可能になっていることを特徴とする第１の発明のコネクタ作業用補助具を提供する。
第３の発明は、前記ヘッド部及び前記延出シート部を含む全体が、一枚のシートによって形成されていることを特徴とする第１又は第２の発明のコネクタ作業用補助具を提供する。
第４の発明は、前記光コネクタアダプタは、補助具載せ台の上側に設けられたアダプタ支持部材に上下多段に取り付けられ、前記ヘッド部の両側の側壁を連結する連結壁が上端、前記両側壁の連結壁とは反対側の端部が下端となる向きで、前記ヘッド部を前記補助具載せ台上に載せて前記下端を前記補助具載せ台の上面に当接させ、前記ヘッド部の前記内側空間に前記光コネクタアダプタを収納することで、前記線番表示が各光コネクタアダプタに位置決めされるようになっており、前記補助具載せ台が位置決め部材として機能することを特徴とする第１〜３のいずれかの発明のコネクタ作業用補助具を提供する。
第５の発明は、前記ヘッド部の一対の側壁を連結する連結壁を、前記ヘッド部の内側空間に収納した光コネクタアダプタに上から当接させることで、前記線番表示が各光コネクタアダプタに位置決めされるようになっており、前記光コネクタアダプタが位置決め部材として機能することを特徴とする第１−第３のいずれかの発明のコネクタ作業用補助具を提供する。
第６の発明は、前記ヘッド部は、一対の側壁を連結する連結壁の外面側に突設された弾性片を有し、前記ヘッド部に光コネクタアダプタを収納したときに、前記弾性片が、前記ヘッド部に収納された光コネクタアダプタの上方に設けられている、前記アダプタ支持部材に対して固定の弾性片当接部材を押圧することで前記ヘッド部を前記位置決め部材に付勢することを特徴とする第４又は第５の発明のコネクタ作業用補助具を提供する。
第７の発明は、前記弾性片が前記ヘッド部に対して着脱可能であり、前記弾性片を、前記弾性片当接部材と前記位置決め部材との間の距離に応じて選択使用できることを特徴とする第６の発明のコネクタ作業用補助具を提供する。
第８の発明は、前記延出シート部に、前記ヘッド部に収納した光コネクタアダプタに接続されている光コネクタから延出され前記作業用空間に通される光ファイバを前記延出シート部に離脱可能に引き留めるファイバ留め具が設けられていることを特徴とする第１〜７のいずれかの発明のコネクタ作業用補助具を提供する。
第９の発明は、前記ファイバ留め具が、一対の前記延出シート部の一方又は両方の前記作業用空間に臨む側に設けられていることを特徴とする第８の発明のコネクタ作業用補助具を提供する。
【発明の効果】
【０００９】
本発明に係るコネクタ作業用補助具は、門形のヘッド部の内側に、アダプタ配列部の光コネクタアダプタを収納し、ヘッド部から延出する一対の延出シート部が、アダプタ配列部から遠い側に行くほど互いの距離が拡がる末広がりとなる向きで、使用する。この使用状態（ヘッド部の内側に光コネクタアダプタを収納した状態）にしたときには、ヘッド部の内側に収納した光コネクタアダプタに対する光コネクタの着脱（挿脱）作業を、ヘッド部の両側壁及び各側壁から延出する一対の延出シート部間に確保された作業用空間を利用して行える。
ヘッド部内に収納した光コネクタアダプタに光コネクタが接続されている場合は、この光コネクタから延出する光ファイバを、前記作業用空間に通すことができる。その一方、アダプタ配列部において、ヘッド部内に収納した光コネクタアダプタと横並びに隣り合う光コネクタアダプタに接続されている光コネクタから延出する光ファイバについては、一対の延出シート部によって、作業用空間に入り込むことを規制できる。一対の延出シート部は、ヘッド部から遠い側ほど互いの距離が拡がる末広がりに設けられているため、ヘッド部の内側に収納した光コネクタアダプタに対する光コネクタの着脱（挿脱）作業を行うに充分な広さの作業用空間を容易に確保できる。この結果、ヘッド部内に収納した光コネクタアダプタに対する光コネクタの着脱（挿脱）の作業性を向上できる。
【００１０】
また、本発明に係るコネクタ作業用補助具は、位置決め部を、アダプタ配列部の位置決め部材上に載せることで、一方又は両方の延出シート部に設けられた線番表示が、ヘッド部内側の光コネクタアダプタに対応する位置に位置決めされる。例えば、特許文献２、３のようなコネクタ作業用工具の、一対の係合可動片によって、光コネクタアダプタに接続されている光コネクタを把持したとき、線番表示によって、一対の係合可動片が把持した光コネクタの位置（線番）を特定できる。また、一対の係合可動片によって把持した光コネクタを、光コネクタが接続されていない空きの光コネクタアダプタに接続する場合も、線番表示によって、光コネクタの位置（線番）を把握できる。
このコネクタ作業用補助具を、使用状態（ヘッド部の内側に光コネクタアダプタを収納した状態）にしたときには、ヘッド部内に収納された光コネクタアダプタが、作業者側から見て、コネクタ作業用補助具の最も奥側に位置することになるが、線番表示によって、光コネクタアダプタの位置（線番）を容易に把握できる。
光コネクタアダプタに対する光コネクタの接続あるいは抜き去りの作業中に、光コネクタアダプタの位置確認（線番識別）を容易に行える。
【発明を実施するための最良の形態】
【００１１】
以下、本発明を実施したコネクタ作業用補助具について、図面を参照して説明する。
図１は本発明に係るコネクタ作業用補助具１を示す図であって、（ａ）は平面図、（ｂ）は後側（前側のヘッド部４とは反対の側）から見た斜視図、（ｃ）はヘッド部４側（前側）から見た斜視図、図２（ａ）、（ｂ）はコネクタ作業用補助具１を構成するシート２を示す展開図である。
【００１２】
また、図３、図４は、コネクタ作業用補助具１を、光配線盤１１のアダプタ配列部１２に適用した使用状態を示す図であって、図３は斜視図、図４は側面図である。
図示例のアダプタ配列部１２は、多連（図示例では８連）の光コネクタアダプタ１３を、プラグ穴１３ａが上下多段に配列される向きで、取り付けパネル１４に複数、横並びに取り付けて、配列設置したものである。取り付けパネル１４（アダプタ支持部材）には、上下方向に細長く延在する光コネクタアダプタ１３が、複数横並びに配列設置されている。
図４に示すように、光配線盤１１は、取り付けパネル１４、後述の台板１２ａ、配線棚１９を含む、ユニット１１ａを上下多段に設けた構成になっている。各ユニット１１ａは、光配線盤１１の図示略のフレームに固定されている。
なお、光配線盤１１，ユニット１１ａについて、図３、図４において、取り付けパネル１４を介して一方の側（配線棚１９が設けられている側）を前面側、他方の側を背面側と称することとする（図３、図４の矢印を参照）。
【００１３】
各光コネクタアダプタ１３には、背面側から、光ファイバ１５の先端に取り付けられた光コネクタ１６（光コネクタプラグ）が接続されている。また、この光コネクタアダプタ１３には、前面側から、光ファイバ１７の先端に取り付けられている光コネクタ１８（光コネクタプラグ）が、着脱可能に接続される。光コネクタ１８は、光コネクタアダプタ１３の前面側から、該光コネクタアダプタ１３のプラグ穴１３ａに挿入して接続される。光コネクタ１８を光コネクタアダプタ１３に接続することで、光コネクタアダプタ１３内にて、光ファイバ１５、１７同士がコネクタ接続される。
光コネクタ１６，１８は、光コネクタアダプタ１３に対して着脱可能であることは言うまでも無い。
【００１４】
多連の光コネクタアダプタ１３については、光コネクタ（光コネクタプラグ）を１つ接続できる光コネクタアダプタ（単位アダプタ）を複数配列させて一体化したものと見なせる。光コネクタ１８が挿入されるプラグ穴１３ａが１つ形成されている部分を１つの光コネクタアダプタ（単位アダプタ）と見なすことができる。プラグ穴の数が、光コネクタアダプタの数に相当する。
【００１５】
光コネクタ１８としては、例えば、いわゆるＳＣ２形光コネクタ（ＳＣ形光コネクタからつまみを省略した光コネクタプラグ）等の、プッシュオン結合方式の光コネクタプラグであるが、ＳＣ形光コネクタ（ＪＩＳ  Ｃ  ５９７３に制定されるＦ０４形光コネクタ。ＳＣ：Single fiberCoupling optical fiber connector）、ＭＵ形光コネクタ（ＪＩＳ  Ｃ  ５９８３に制定されるＦ１４形光コネクタ。ＭＵ:Miniature-Unit coupling optical fiber connector）等の、プッシュプル結合方式で光コネクタアダプタと結合するタイプの光コネクタプラグ、なども採用可能である。
光コネクタアダプタは、光コネクタ１８の構造に対応して、光コネクタ１８の着脱可能な接続が可能なものを採用することは言うまでも無い。
【００１６】
図４に示すように、図示例の光配線盤１のアダプタ配列部１２の前面側には、取り付けパネル１４から前面側に張り出すように突設された台板１２ａ（補助具載せ台）と、この台板１２ａの前端（取り付けパネル１４からの突出先端）に、上下回転可能に枢着された配線棚１９とが設けられている。
光コネクタアダプタ１３は、台板１２ａよりも上側にて、取り付けパネル１４に開口された取り付け窓１４ａに収納して取り付けられている。
【００１７】
配線棚１９は、台板１２ａに枢着された棚板１９ａと、この棚板１９ａ上に該棚板１９ａの前記台板１２ａとは反対側の端部に突設された脱落防止壁１９ｂとを具備する。脱落防止壁１９ｂは、棚板１９ａ上に配線された光ファイバ１７の棚板１９ａから前面側への脱落を防止する。
そして、この配線棚１９は、図示略のストッパによって、棚板１９ａが、台板１２ａの前側（前面側）に台板１２ａと連続するように水平（あるいはほぼ水平）に支持される第１支持位置と、この第１支持位置から下方に回転させ、棚板１９ａが台板１２ａ前端から前面側へ斜め下方に傾斜した状態となる第２支持位置とに支持される。また、回転によって、第１支持位置と第２支持位置とを自在に切り換えることができる。
配線棚１９には、各光コネクタアダプタ１３に前面側から接続された光コネクタ１８から延出する光ファイバ１７が配線される。
【００１８】
図１（ａ）〜（ｃ）、図２（ａ）、（ｂ）に示すように、前記コネクタ作業用補助具１は、一枚の樹脂製シート２の折り曲げ成形によって、前記光コネクタアダプタ１３を収納可能な門形に形成されたヘッド部４と、ヘッド部４の内側空間４１を介して両側の側壁４２から延出する一対の延出シート部５ａ、５ｂとを形成してなる、補助具本体３を具備する。
【００１９】
また、延出シート部５ａ、５ｂには、それぞれ、ファイバ留め具６が設けられている。このファイバ留め具６は、具体的には面ファスナーであり、延出シート部５ａ、５ｂに取り付けた面ファスナー半体６ａと、この面ファスナー半体６ａに着脱可能の、もう一枚の面ファスナー半体６ｂとからなる、２枚一対の面ファスナー半体６ａ、６ｂで構成されている。そして、このファイバ留め具６は、一対の面ファスナー半体６ａ、６ｂの間に、光コネクタ１８から延出する光ファイバ１７（ここでは具体的には、光ファイバコード）を挟み込んで保持できる。また、一対の面ファスナー半体６ａ、６ｂの間に光ファイバ１７を保持したファイバ留め具６は、補助具本体３（具体的には延出シート部）に取り付けられている面ファスナー半体６ａから、該面ファスナー半体６ａに重ね合わせるようにして取り付けられた面ファスナー半体６ｂを剥がすことで、光ファイバ１７を簡単に取り出すことができる。
【００２０】
図示例のファイバ留め具６は、補助具本体３（具体的には延出シート部）の上下方向（図１（ｂ）、（ｃ）、図３における上下）に延在するようにして取り付けた細長帯状の面ファスナー半体６ａと、この面ファスナー半体６ａに着脱される帯状の面ファスナー半体６ｂとで構成されているが、これに限定されず、例えば、補助具本体３（具体的には延出シート部）の上端（図１（ｂ）、（ｃ）、図３における上側の端部）のみに取り付けて設置した帯状の面ファスナー半体６ａと、面ファスナー半体６ａに着脱される帯状の面ファスナー半体６ｂとからなる構成であっても良い。
また、一方の面が雄側、反対側の面が前記一方の面に係脱可能に面接合させることができる雌側になっている、一枚の面ファスナーによって、光ファイバ１７を巻くようにして保持できるようにした構成のファイバ留め具も採用可能である。
【００２１】
なお、図中、符号６１は、面ファスナー半体６ａを補助具本体３（具体的には延出シート部）に取り付けるためのリベット状の取り付け部材である。但し、面ファスナー半体６ａを補助具本体３（具体的には延出シート部）に取り付けるための取り付けは、例えば、接着剤による接着固定や、帯状に形成された面ファスナー半体６ａの、補助具本体３（具体的には延出シート部）に形成したスリットへの挿通等であっても良い。
【００２２】
ヘッド部４は、連結壁４３と、この連結壁４３の両側から延出され、互いに離隔して設けれた一対の側壁４２とを具備する、門形に形成されている。連結壁４３は、一対の側壁４２を連結する機能を果たす。
なお、両側壁４２間の離隔距離は、上下方向に細長の光コネクタアダプタ１３の左右（前面側から見て左右）両側の側面間の距離に揃えてある。このため、光コネクタアダプタ１３をヘッド部４の内側に収納したときには、両側壁４２が、光コネクタアダプタ１３の両側に当接されるか、あるいは、微小な隙間を介して接近配置される。
【００２３】
また、前記ヘッド部４は、連結壁４３から、連結壁４３及び両側壁４２によって囲まれる内側空間４１とは反対の側に突設された弾性片４４を具備する。この弾性片４４も、補助具本体３を構成するシート２の一部であり、連結壁４３から内側空間４１とは反対の側に折り曲げられた舌片状になっている。
【００２４】
一対の延出シート部５ａ、５ｂは、ヘッド部４から遠い側（後側）ほど互いの距離が拡がる末広がりに形成されている。さらに詳細には、一対の延出シート部５ａ、５ｂは、ヘッド部４から遠い側（後側）ほど互いの距離が拡がる末広がりに湾曲成形されている。
【００２５】
コネクタ作業用補助具１の補助具本体３は、ヘッド部４の側壁４２と延出シート部とが一体となっている一対の側板部３ａが、ヘッド部４の連結壁４３によって連結されている概略構造になっている。
一対の側板部３ａの間には、光コネクタアダプタ１３、該光コネクタアダプタ１３に前面側から接続された光コネクタ１８を収納できる作業用空間７が確保されている。この作業用空間７には、光コネクタアダプタ１３に前面側から接続された光コネクタ１８から延出する光ファイバ１７（具体的には、光ファイバコード）を通すことができる。
ヘッド部４の内側空間４１は、作業用空間７の一部である。
【００２６】
また、両方の延出シート部５ａ、５ｂには、前記光コネクタアダプタ１３の上下多段のプラグ穴１３ａの線番照合用の線番表示８が、前記作業用空間７の側から視認可能に設けられている。線番表示８は、上下（図１（ｂ）、（ｃ）、図３、図４において上下）多段に設けられている。ここでは、線番表示８は、光コネクタアダプタ１３の複数のプラグ穴１３ａと対応するように、プラグ穴１３ａと同じ配列ピッチで、プラグ穴１３ａと同じ数、形成されている。但し、これに限定されず、例えば、光コネクタアダプタ１３のプラグ穴１３ａよりも多くの数の線番表示８を上下多段に形成することも可能である（但し、上下の配列ピッチは、プラグ穴１３ａと同じとする）。
【００２７】
線番表示８は、延出シート部５ａ、５ｂの作業用空間７に臨む側の面に、印刷等によって設けられる。
但し、コネクタ作業用補助具１の補助具本体３を形成するシート２としては、透明又は半透明の樹脂製シートを用いることができ、この場合は、延出シート部５ａ、５ｂの作業用空間７とは反対側の面からも、線番表示８の視認が可能である。また、この場合は、コネクタ作業用補助具１の外側に配線されている光ファイバ１７の状態の視認も容易になるため、コネクタ作業用補助具１の光コネクタアダプタ１３に対する挿脱作業の際に、光ファイバ１７に急激な曲げ等を与えないようにする、といったことが容易となる。
【００２８】
図３、図４に示すように、前記コネクタ作業用補助具１は、アダプタ配列部１２の前面側から取り付けパネル１４に接近させて行き、ヘッド部４に作業対象の光コネクタアダプタ１３を収納して使用する（図示例では、光コネクタアダプタ１３を一つのみ収納する）。
このとき、前記ヘッド部４の両側の側壁４２を連結する連結壁４３が上端、前記両側壁４２の連結壁４３とは反対側の端部４２ａ（下端）が下端となる向きで、前記ヘッド部４を前記台板１２ａ上に載せ、前記下端４２ａを前記台板１２ａ上面に当接させる。
ヘッド部４の両側壁４２の上下方向寸法は、光コネクタアダプタ１３の上下方向寸法よりも大きく、前記コネクタ作業用補助具１は、ヘッド部４を台板１２ａに載せて該ヘッド部４の内側に光コネクタアダプタ１３を収納したとき（使用状態としたとき）に、連結壁４３が光コネクタアダプタ１３よりも上側に位置し、光コネクタアダプタ１３に当接しないようになっている。
【００２９】
ヘッド部４を台板１２ａに載せて該ヘッド部４の内側に光コネクタアダプタ１３を収納する（使用状態にする）と、延出シート部５ａ、５ｂに設けられている線番表示８が光コネクタアダプタ１３の各プラグ穴１３ａ（要するに、多連の光コネクタアダプタを構成する単位アダプタのプラグ穴）に位置決めされる。
このとき、台板１２ａが、コネクタ作業用補助具１を位置決めするための位置決め部材として機能する。
【００３０】
また、前記コネクタ作業用補助具１は、前記ヘッド部４に光コネクタアダプタ１３を収納したときに、光配線盤１１において前記光コネクタアダプタ１３の上方に設けられている弾性片当接部材１１ｃに前記弾性片４４が押圧されて弾性変形され、弾性変形された前記弾性片４４が前記弾性片当接部材１１ｃを押圧することで前記ヘッド部４を台板１２ａに付勢する。これにより、コネクタ作業用補助具１が確実に台板１２ａに押し付けられて、台板１２ａから上方への浮き上がりが防止され、上下方向の位置決めが確実になされる。各線番表示８の、光コネクタアダプタ１３の各プラグ穴１３ａに対する位置決めも確実になされる。
【００３１】
図示例のコネクタ作業用補助具１の弾性片４４は、連結壁４３の前端（前側端部）からコネクタ作業用補助具１の後側に傾斜するように立設された突片であり、弾性片当接部材１１ｃに当接されることで連結壁４３に接近するように押し倒されて弾性変形され、これにより、ヘッド部４を台板１２ａに弾性付勢するようになる。弾性片４４は、隙間１１ｂの上下寸法に対して、ある程度の汎用性があるが、ヘッド部４の台板１２ａへの弾性付勢を実現するために、隙間１１ｂの上下寸法に対応して、適切寸法のものを採用することは言うまでもない。
台板１２ａは、線番表示８が、前記ヘッド部の内側の各光コネクタアダプタに対応する位置となるように、コネクタ作業用補助具１を位置決めするための位置決め部として機能する。但し、位置決め部としては、台板に限定されず、ユニットに設けられている他の部材であっても良い。
【００３２】
図３、図４においては、弾性片当接部材１１ｃとして、コネクタ作業用補助具１のヘッド部４に収納した光コネクタアダプタ１３が設けられているユニット１１ａと、上下方向に隣り合う上側のユニット１１ａの底板を採用している。しかし、弾性片当接部材１１ｃとしては、これに限定されず、光コネクタアダプタ１３を収納したヘッド部４の弾性片４４の弾性変形が可能なように、光コネクタアダプタ１３の上方に設置され、弾性片４４の弾性によるコネクタ作業用補助具１の、下方の台板１２ａへの弾性付勢を可能とするものであれば良く、例えば、取り付けパネル１４から突設された突片等であっても良い。
【００３３】
図１（ａ）〜（ｃ）等に例示したコネクタ作業用補助具１では、ヘッド部４の両側壁４２の前端が、連結壁４３よりも前側に突出されている。換言すれば、ヘッド部４における連結壁４３の位置が、補助具本体３の前端から後側へずらされている。
この構成であれば、弾性片４４の付勢力がヘッド部４の前端に偏在しにくくなるため、コネクタ作業用補助具１の台板１２ａへの弾性付勢による位置決めをより確実に行える。
【００３４】
但し、ヘッド部４の連結壁４３の位置は、例えば図６〜図１０のように、補助具本体の前端であっても良い。
この場合、前記コネクタ作業用補助具１は、前記ヘッド部４に光コネクタアダプタ１３を収納したときに、前記ヘッド部４に収納された光コネクタアダプタ１３と、光配線盤１１において前記光コネクタアダプタ１３の上方に設けられている弾性片当接部材１１ｃとの間に確保された隙間１１ｂに、前記ヘッド部４の連結壁４３と弾性片４４とが入り込み、弾性変形された前記弾性片４４が前記弾性片当接部材１１ｃを押圧することで前記ヘッド部４を台板１２ａに付勢して、上下方向の位置決めが確実になされる。
また、取り付けパネル１４に光コネクタアダプタが上下に離隔して多段に設けられている場合、上下の光コネクタアダプタ間の隙間を、ヘッド部４の連結壁４３と弾性片４４とが入り込む隙間として機能させ、この隙間の上側の光コネクタアダプタを弾性片当接部材として機能させる、といったことも可能である。
【００３５】
光コネクタ１８が接続されている光コネクタアダプタ１３をヘッド部４に収納したときには、前記光コネクタアダプタ１３に接続されている光コネクタ１８から延出する光ファイバ１７が、コネクタ作業用補助具１の両側板部３ａの間に確保された作業用空間７に通される。
このコネクタ作業用補助具１では、作業用空間７に通された光ファイバ１７を、ファイバ留め具６によって延出シート部に引き留めることができる。図示例では、具体的には、両側の延出シート部５ａ、５ｂに設けられているファイバ留め具６の内、片側のファイバ留め具６を選択して、ファイバ留め具６を構成する一対の面ファスナー半体６ａ、６ｂの間に、光ファイバ１７を挟み込む。
ファイバ留め具６は、延出シート部５ａの後端部、すなわち、ヘッド部４からの延出シート部５ａの延出方向先端部に設けられている。このため、ファイバ留め具６によって引き留めた光ファイバ１７は、作業用空間７内において、ファイバ留め具６が設けられている延出シート部５ａに沿って配線されることとなる。したがって、作業用空間７内での作業に光ファイバ１７が邪魔になるといった不都合を防止できる。ヘッド部４に光コネクタアダプタ１３を収納したコネクタ作業用補助具１の後側からの、作業用空間７内の光コネクタアダプタ１３のプラグ穴１３ａの視認も容易となる。
特に、光コネクタアダプタ１３に接続されている光コネクタ１８の内、抜き去り対象の光コネクタ１８よりも上側にて光コネクタアダプタ１３に接続されている光コネクタ１８から延出する光ファイバ１７や、光コネクタアダプタ１３において光コネクタ１８を挿入して接続する作業対象の空きのプラグ穴１３ａの上側に接続されている光コネクタ１８から延出する光ファイバ１７を、ファイバ留め具６によって引き留めておくことで、作業性を向上できる。
【００３６】
なお、ユニット１１ａにあっては、光コネクタアダプタ１３に接続されている光コネクタ１８から延出する光ファイバ１７を配線棚１９に配線するが、配線棚１９に配線した光ファイバ１７は、ユニット１１ａ前面側から見て左右方向に延在する配線棚１９の延在方向（図３中矢印Ａ）の片端から、該片端を延出口として延出される。
光ファイバ１７は、光コネクタアダプタ１３に接続されている光コネクタ１８から、前記配線棚１９の光ファイバ１７が延出される延出口に引っ張られる傾向があり、延出口とは反対側へは湾曲させにくい。このため、光コネクタアダプタ１３をヘッド部４に収納したコネクタ作業用補助具１の左右の延出シート部５ａ、５ｂに設けられているファイバ留め具６の内、前記配線棚１９の光ファイバ１７が延出される延出口に近い側を選択して、光ファイバ１７を引き留めることが、作業用空間７内の視野確保等の点で、より好適である。その他、光ファイバ１７の配線方向の制約等に応じて、適宜、左右の延出シート部５ａ、５ｂのファイバ留め具６を選択使用することができる。
図１１は、図３とは反対側のファイバ留め具６を選択使用した例である。
本発明は、延出シート部５ａ、５ｂの一方のみにファイバ留め具を具備する構成を排除するものでは無いが、上述のように、延出シート部５ａ、５ｂの両方にファイバ留め具を具備する構成であれば、ユニット１１ａの配線棚１９からの光ファイバ１７の延出方向等に応じてファイバ留め具を選択使用でき、視野確保等による作業性の向上をより確実に実現できるといった利点がある。
【００３７】
図４中、符号９はコネクタ作業用工具を示す。このコネクタ作業用工具９は、例えば、特許文献２、３に例示したものを使用できる。
図５は、特許文献２と同様の、抜き去り用の工具である。
図５に例示したコネクタ作業用工具９は、使用者が手で把持するためのグリップ９１付きの棒状の工具本体９２から互いの長手方向を揃えて延出する一対の細長片である差込片９５に、光コネクタ１８の両側部に係合可能な爪９３ａが先端部に突設されている細長ピン状の一対の係合可動片９３を、それぞれ枢軸９４によって枢着してある。係合可動片９３の先端部の爪９３ａを、光コネクタアダプタ１３に接続されている光コネクタ１８の両側部に係合させて、光コネクタ１８を一対の係合可動片９３の先端部の間に把持した状態で、光コネクタアダプタ１３から引っ張ることができる。また、このコネクタ作業用工具９は、工具本体９２から延出する一対の細長片である差込片９５を、光コネクタアダプタ１３に接続されている光コネクタ１８の両側部に沿わせるようにして光コネクタアダプタ１３に向けて押し込んでいくことで、光コネクタ１８に係合している光コネクタアダプタ１３の係合爪（弾性爪）を押し動かして、光コネクタ１８に対する係合を解除できる。
なお、図中符号９６はスプリングであり、一対の係合可動片９３を、前記枢軸９４からグリップ９１側の部分を工具本体９２に接近させるように操作したときに圧縮変形されて、係合可動片９３を付勢力によって差込片９５に並行するように押し戻す役割を果たす。
【００３８】
コネクタ作業用工具９は、ヘッド部４に光コネクタアダプタ１３を収納した状態（使用状態）のコネクタ作業用補助具１の作業用空間７に、コネクタ作業用補助具１の後側から挿入して、光コネクタアダプタ１３に接続されている光コネクタ１８の光コネクタアダプタ１３からの抜き去りに使用できる。
光コネクタアダプタ１３に接続されている光コネクタ１８に、コネクタ作業用工具９の一対の係合可動片９３の先端部の爪９３ａを係合させたときに、この工具９の一部、例えば、工具本体９２と、コネクタ作業用補助具１の線番表示８との位置照合によって、コネクタ作業用工具９の一対の係合可動片９３を係合させた光コネクタ１８の位置（線番）確認を行うことができる。
【００３９】
細長形状の工具本体９２に、細長形状の係合可動片９３と細長形状の差込片９５とを設けた構造のコネクタ作業用工具９は、全体としても細長の構成であり、上下多段の線番表示８に対する位置照合を容易に行える。
また、図示例のコネクタ作業用補助具１では、線番表示８が上下多段に形成された表示列を、延出シート部の前後方向（コネクタ作業用補助具１の前後方向）の複数箇所に設けた構成であるため、コネクタ作業用工具９と各表示列の線番表示８との照合によって、光コネクタ１８の位置（線番）確認をより正確に行える。光コネクタ１８に係合させたコネクタ作業用工具９の上下方向への傾動による照合ミスを防ぐことができる。
コネクタ作業用補助具１の作業用空間７にコネクタ作業用工具９を挿入すれば、コネクタ作業用補助具１の前端側に収納されている光コネクタ１８自体の目視はしにくくなるが、このコネクタ作業用補助具１にあっては、線番表示８を利用することで、光コネクタ１８の位置（線番）確認を容易に行える。
【００４０】
コネクタ作業用工具としては、例えば特許文献３のような着脱工具や、接続専用工具の採用も可能であることは言うまでも無い。
この場合は、一対の係合可動片の先端部に把持した光コネクタ１８を、光コネクタアダプタ１３の空きのプラグ穴１３ａに挿入したときに、工具の一部、例えば、工具本体と、コネクタ作業用補助具１の線番表示８との位置照合によって、コネクタ作業用工具９の先端に把持した光コネクタ１８の位置（線番）確認を行うことができる。
これにより、空きのプラグ穴１３ａが複数存在する場合であっても、間違うことなく、光コネクタアダプタ１３に対する光コネクタ１８の接続を行うことができる、といった利点がある。
【００４１】
（別態様１）
図６は、ヘッド部４の形状を変更し、前記弾性片当接部材１１ｃに当接されて弾性変形された弾性片４４によって、ヘッド部を押圧することで前記ヘッド部４の連結壁４３を、ヘッド部４に収納した光コネクタアダプタ１３に上から弾性付勢するようにしたものである。弾性片４４は、光コネクタアダプタ１３と該光コネクタアダプタ１３の上側の弾性片当接部材１１ｃとの間の隙間１１ｂに挿入されて弾性変形されて、前記ヘッド部４の連結壁４３を光コネクタアダプタ１３に弾性付勢する。線番表示８の位置は、ヘッド部４の連結壁４３が光コネクタアダプタ１３に当接したときに、光コネクタアダプタ１３の各プラグ穴１３ａに対応する位置となるように設定する。
この場合は、光コネクタアダプタ１３自体が、線番表示８が前記ヘッド部の内側の各光コネクタアダプタに対応する位置となるように、コネクタ作業用補助具１を位置決めするための位置決め部として機能する。
また、必ずしも、ヘッド部４を台板１２ａに当接させる必要が無いため、ユニット１１ａの寸法に対する汎用性が高い。
【００４２】
（別態様２）
図７、図８（ａ）〜（ｃ）は、弾性片４４が着脱されるヘッド部４Ａを具備した構成のコネクタ作業用補助具を例示している。
ヘッド部４Ａは、連結壁４３と、この連結壁４３の両側から延出され、互いに離隔して設けれた一対の側壁４２とを具備する、門形に形成されている。但し、弾性片４４は、ヘッド部４Ａに着脱可能な着脱片に設けられており、着脱片をヘッド部４Ａに固定することで、ヘッド部４Ａの連結壁４３上（連結壁の外面側。連結壁４３を介して一対の側板部３ａの間の作業用空間７とは反対の側）に突設される。
【００４３】
図示例では、ヘッド部４Ａの連結壁４３を含む上部を収納するようにして、着脱可能に嵌合される門形の嵌合部材４５上に弾性片４４を突設した、着脱片４６を例示している
このように、弾性片４４を、ヘッド部４Ａに着脱可能とした構成であれば、上記隙間１１ｂの上下寸法に対応して、コネクタ作業用補助具の位置決め部への弾性付勢を実現できる弾性片を選択使用することが容易になる。
例えば、図９、図１０（ａ）〜（ｃ）に示すように、前記嵌合部材４５に、ヘッド部４Ａの連結壁４３と並行に配置される弾性プレート４７（例えば、スポンジ状のもの等）を弾性片４４として取り付けた構成の着脱片４８等も採用可能である。
着脱片は、ヘッド部に対して着脱可能であれば良く、ヘッド部に対する固定構造は適宜選択可能である。
また、図７〜図１０（ａ）〜（ｃ）のように、弾性片を具備する着脱片が着脱されるヘッド部４Ａを具備する構成は、図１等に例示したコネクタ作業用補助具についても適用可能である。
【００４４】
図６〜図１０（ａ）〜（ｃ）のコネクタ作業用補助具では、ファイバ留め具の図示を省略している。これらのコネクタ作業用補助具においても、図１等に例示したコネクタ作業用補助具と同様に、ファイバ留め具を設置することができることは言うまでも無い。
ファイバ留め具６としては、面ファスナーを利用したものに限定されず、例えば、樹脂製の押さえ板、樹脂製リング等であっても良い。また、延出シート部自体に、光ファイバを離脱可能に嵌め込むことができる切り欠き状の嵌め込み凹部を形成して、延出シート部自体を、ファイバ留め具として機能させるといったことも可能である。
【図面の簡単な説明】
【００４５】
【図１】本発明に係るコネクタ作業用補助具を示す図であって、（ａ）は平面図、（ｂ）は後側（前側のヘッド部とは反対の側）から見た斜視図、（ｃ）はヘッド部側（前側）から見た斜視図である。
【図２】（ａ）、（ｂ）はコネクタ作業用補助具を構成するシート２を示す展開図であり、（ａ）は外面側（作業用空間とは反対の側）、（ｂ）は作業用空間に臨む側を示す。
【図３】コネクタ作業用補助具を、光配線盤のアダプタ配列部に適用した使用状態を示す斜視図である。
【図４】コネクタ作業用補助具を、光配線盤のアダプタ配列部に適用した使用状態を示す側面図である。
【図５】コネクタ作業用工具の例を示す平面図である。
【図６】本発明の別態様を示す図であって、
【図７】弾性片を、ヘッド部に着脱可能とした、コネクタ作業用補助具の例を示す図である。
【図８】（ａ）〜（ｃ）は、図７のコネクタ作業用補助具の構造を示す図である。
【図９】弾性片を、ヘッド部に着脱可能とした、コネクタ  作業用補助具の例を示す図である。
【図１０】（ａ）〜（ｃ）は、図９のコネクタ作業用補助具の構造を示す図である。
【図１１】図３とは反対側のファイバ留め具に光ファイバを保持した状態を示す斜視図である。
【符号の説明】
【００４６】
１…コネクタ作業用補助具、２…シート、４、４Ａ…ヘッド部、４１…内側空間、４２…側壁、４２ａ…下端、４３…連結壁、４４…弾性片、５ａ，５ｂ…延出シート部、６…ファイバ留め具、７…作業用空間、８…線番表示、９…コネクタ作業用工具。
【図１】
2008224891.tif 000003
【図２】
2008224891.tif 000004
【図３】
2008224891.tif 000005
【図４】
2008224891.tif 000006
【図５】
2008224891.tif 000007
【図６】
2008224891.tif 000008
【図７】
2008224891.tif 000009
【図８】
2008224891.tif 000010
【図９】
2008224891.tif 000011
【図１０】
2008224891.tif 000012
【図１１】
2008224891.tif 000013
【手続補正書】
【提出日】平成20年4月21日(2008.4.21)
【手続補正１】
【補正対象書類名】特許請求の範囲
【補正対象項目名】全文
【補正方法】変更
【補正の内容】
【特許請求の範囲】
【請求項１】
光コネクタアダプタが上下多段に設けられているアダプタ配列部にて、前記光コネクタアダプタに対する光コネクタの着脱作業に用いられるコネクタ作業用補助具であって、
ヘッド部と、前記ヘッド部の内側空間を介して両側の側壁から延出する一対の延出シート部とを具備し、前記ヘッド部に光コネクタアダプタを収納したときに、前記ヘッド部に収納された前記光コネクタアダプタに接続されている光コネクタから延出する光ファイバを、前記ヘッド部の両側の側壁及び両側壁から延出する一対の延出シート部の間に確保された作業用空間に通せるようになっており、
前記ヘッド部が、連結壁と、この連結壁の両側から延出され、互いに離隔して設けられた一対の側壁とを具備して前記光コネクタアダプタを収納可能な門形に形成され、
前記一対の延出シート部は、ヘッド部から遠い側ほど互いの距離が拡がる末広がりに設けられ、一方又は両方の延出シート部には、上下多段の前記光コネクタアダプタに対応する線番表示が、前記作業用空間の側から視認可能に設けられ、
前記ヘッド部又は前記延出シート部は、前記アダプタ配列部に突設されている位置決め部材上に載せることで位置決めすることができ、これにより前記線番表示を、前記ヘッド部の内側の各光コネクタアダプタに対応する位置に位置決めすることができ、
前記光コネクタアダプタは、アダプタ支持部材に取り付けられ、
前記ヘッド部は、一対の側壁を連結する連結壁の外面側に突設された弾性片を有し、
前記ヘッド部に光コネクタアダプタを収納したときに、前記弾性片が、前記ヘッド部に収納された光コネクタアダプタの上方に設けられている、前記アダプタ支持部材に対して固定の弾性片当接部材を押圧することで前記ヘッド部を前記位置決め部材に付勢することを特徴とするコネクタ作業用補助具。
【請求項２】
前記延出シート部が透明又は半透明の樹脂製シートであり、延出シート部を介して作業用空間とは反対側の光ファイバを作業用空間側から透視可能になっていることを特徴とする請求項１記載のコネクタ作業用補助具。
【請求項３】
前記ヘッド部及び前記延出シート部を含む全体が、一枚のシートによって形成されていることを特徴とする請求項１又は２記載のコネクタ作業用補助具。
【請求項４】
前記光コネクタアダプタは、補助具載せ台の上側に設けられたアダプタ支持部材に上下多段に取り付けられ、前記ヘッド部の両側の側壁を連結する連結壁が上端、前記両側壁の連結壁とは反対側の端部が下端となる向きで、前記ヘッド部を前記補助具載せ台上に載せて前記下端を前記補助具載せ台の上面に当接させ、前記ヘッド部の前記内側空間に前記光コネクタアダプタを収納することで、前記線番表示が各光コネクタアダプタに位置決めされるようになっており、前記補助具載せ台が位置決め部材として機能することを特徴とする請求項１〜３のいずれかに記載のコネクタ作業用補助具。
【請求項５】
前記ヘッド部の一対の側壁を連結する連結壁を、前記ヘッド部の内側空間に収納した光コネクタアダプタに上から当接させることで、前記線番表示が各光コネクタアダプタに位置決めされるようになっており、前記光コネクタアダプタが位置決め部材として機能することを特徴とする請求項１〜３のいずれかに記載のコネクタ作業用補助具。
【請求項６】
前記延出シート部に、前記ヘッド部に収納した光コネクタアダプタに接続されている光コネクタから延出され前記作業用空間に通される光ファイバを前記延出シート部に離脱可能に引き留めるファイバ留め具が設けられていることを特徴とする請求項１〜５のいずれかに記載のコネクタ作業用補助具。
【請求項７】
前記ファイバ留め具が、一対の前記延出シート部の一方又は両方の前記作業用空間に臨む側に設けられていることを特徴とする請求項６記載のコネクタ作業用補助具。
【手続補正２】
【補正対象書類名】明細書
【補正対象項目名】０００８
【補正方法】変更
【補正の内容】
【０００８】
上記課題を解決するために、本発明では以下の構成を提供する。
本発明では、光コネクタアダプタが上下多段に設けられているアダプタ配列部にて、前記光コネクタアダプタに対する光コネクタの着脱作業に用いられるコネクタ作業用補助具であって、ヘッド部と、前記ヘッド部の内側空間を介して両側の側壁から延出する一対の延出シート部とを具備し、前記ヘッド部に光コネクタアダプタを収納したときに、前記ヘッド部に収納された前記光コネクタアダプタに接続されている光コネクタから延出する光ファイバを、前記ヘッド部の両側の側壁及び両側壁から延出する一対の延出シート部の間に確保された作業用空間に通せるようになっており、前記ヘッド部が、連結壁と、この連結壁の両側から延出され、互いに離隔して設けられた一対の側壁とを具備して前記光コネクタアダプタを収納可能な門形に形成され、前記一対の延出シート部は、ヘッド部から遠い側ほど互いの距離が拡がる末広がりに設けられ、一方又は両方の延出シート部には、上下多段の前記光コネクタアダプタに対応する線番表示が、前記作業用空間の側から視認可能に設けられ、前記ヘッド部又は前記延出シート部は、前記アダプタ配列部に突設されている位置決め部材上に載せることで位置決めすることができ、これにより前記線番表示を、前記ヘッド部の内側の各光コネクタアダプタに対応する位置に位置決めすることができ、
前記光コネクタアダプタは、アダプタ支持部材に取り付けられ、前記ヘッド部は、一対の側壁を連結する連結壁の外面側に突設された弾性片を有し、前記ヘッド部に光コネクタアダプタを収納したときに、前記弾性片が、前記ヘッド部に収納された光コネクタアダプタの上方に設けられている、前記アダプタ支持部材に対して固定の弾性片当接部材を押圧することで前記ヘッド部を前記位置決め部材に付勢することを特徴とするコネクタ作業用補助具を提供する。
第２の発明は、前記延出シート部が透明又は半透明の樹脂製シートであり、延出シート部を介して作業用空間とは反対側の光ファイバを作業用空間側から透視可能になっていることを特徴とする第１の発明のコネクタ作業用補助具を提供する。
第３の発明は、前記ヘッド部及び前記延出シート部を含む全体が、一枚のシートによって形成されていることを特徴とする第１又は第２の発明のコネクタ作業用補助具を提供する。
第４の発明は、前記光コネクタアダプタは、補助具載せ台の上側に設けられたアダプタ支持部材に上下多段に取り付けられ、前記ヘッド部の両側の側壁を連結する連結壁が上端、前記両側壁の連結壁とは反対側の端部が下端となる向きで、前記ヘッド部を前記補助具載せ台上に載せて前記下端を前記補助具載せ台の上面に当接させ、前記ヘッド部の前記内側空間に前記光コネクタアダプタを収納することで、前記線番表示が各光コネクタアダプタに位置決めされるようになっており、前記補助具載せ台が位置決め部材として機能することを特徴とする第１〜３のいずれかの発明のコネクタ作業用補助具を提供する。
第５の発明は、前記ヘッド部の一対の側壁を連結する連結壁を、前記ヘッド部の内側空間に収納した光コネクタアダプタに上から当接させることで、前記線番表示が各光コネクタアダプタに位置決めされるようになっており、前記光コネクタアダプタが位置決め部材として機能することを特徴とする第１〜３のいずれかの発明のコネクタ作業用補助具を提供する。
第６の発明は、前記延出シート部に、前記ヘッド部に収納した光コネクタアダプタに接続されている光コネクタから延出され前記作業用空間に通される光ファイバを前記延出シート部に離脱可能に引き留めるファイバ留め具が設けられていることを特徴とする第１〜５のいずれかの発明のコネクタ作業用補助具を提供する。
第７の発明は、前記ファイバ留め具が、一対の前記延出シート部の一方又は両方の前記作業用空間に臨む側に設けられていることを特徴とする第６の発明のコネクタ作業用補助具を提供する。
【手続補正３】
【補正対象書類名】明細書
【補正対象項目名】００１０
【補正方法】変更
【補正の内容】
【００１０】
また、本発明に係るコネクタ作業用補助具は、ヘッド部又は延出シート部をアダプタ配列部の位置決め部材上に載せることで、一方又は両方の延出シート部に設けられた線番表示が、ヘッド部内側の光コネクタアダプタに対応する位置に位置決めされる。例えば、特許文献２、３のようなコネクタ作業用工具の、一対の係合可動片によって、光コネクタアダプタに接続されている光コネクタを把持したとき、線番表示によって、一対の係合可動片が把持した光コネクタの位置（線番）を特定できる。また、一対の係合可動片によって把持した光コネクタを、光コネクタが接続されていない空きの光コネクタアダプタに接続する場合も、線番表示によって、光コネクタの位置（線番）を把握できる。
このコネクタ作業用補助具を、使用状態（ヘッド部の内側に光コネクタアダプタを収納した状態）にしたときには、ヘッド部内に収納された光コネクタアダプタが、作業者側から見て、コネクタ作業用補助具の最も奥側に位置することになるが、線番表示によって、光コネクタアダプタの位置（線番）を容易に把握できる。
光コネクタアダプタに対する光コネクタの接続あるいは抜き去りの作業中に、光コネクタアダプタの位置確認（線番識別）を容易に行える。
【手続補正４】
【補正対象書類名】明細書
【補正対象項目名】００３１
【補正方法】変更
【補正の内容】
【００３１】
図示例のコネクタ作業用補助具１の弾性片４４は、連結壁４３の前端（前側端部）からコネクタ作業用補助具１の後側に傾斜するように立設された突片であり、弾性片当接部材１１ｃに当接されることで連結壁４３に接近するように押し倒されて弾性変形され、これにより、ヘッド部４を台板１２ａに弾性付勢するようになる。弾性片４４は、隙間１１ｂの上下寸法に対して、ある程度の汎用性があるが、ヘッド部４の台板１２ａへの弾性付勢を実現するために、隙間１１ｂの上下寸法に対応して、適切寸法のものを採用することは言うまでもない。
台板１２ａは、線番表示８が、前記ヘッド部の内側の各光コネクタアダプタに対応する位置となるように、コネクタ作業用補助具１を位置決めするための位置決め部材として機能する。但し、位置決め部材としては、台板に限定されず、ユニットに設けられている他の部材であっても良い。
【手続補正書】
【提出日】平成20年7月22日(2008.7.22)
【手続補正１】
【補正対象書類名】特許請求の範囲
【補正対象項目名】全文
【補正方法】変更
【補正の内容】
【特許請求の範囲】
【請求項１】
光コネクタアダプタが上下多段に設けられているアダプタ配列部にて、前記光コネクタアダプタに対する光コネクタの着脱作業に用いられるコネクタ作業用補助具であって、
ヘッド部と、前記ヘッド部の内側空間を介して両側の側壁から延出する一対の延出シート部とを具備し、前記ヘッド部に光コネクタアダプタを収納したときに、前記ヘッド部に収納された前記光コネクタアダプタに接続されている光コネクタから延出する光ファイバを、前記ヘッド部の両側の側壁及び両側壁から延出する一対の延出シート部の間に確保された作業用空間に通せるようになっており、
前記ヘッド部が、連結壁と、この連結壁の両側から延出され、互いに離隔して設けられた一対の側壁とを具備して前記光コネクタアダプタを収納可能な門形に形成され、
前記一対の延出シート部は、ヘッド部から遠い側ほど互いの距離が拡がる末広がりに設けられ、一方又は両方の延出シート部には、上下多段の前記光コネクタアダプタに対応する線番表示が、前記作業用空間の側から視認可能に設けられ、
前記ヘッド部又は前記延出シート部は、前記アダプタ配列部に突設されている位置決め部材上に載せることで位置決めすることができ、これにより前記線番表示を、前記ヘッド部の内側の各光コネクタアダプタに対応する位置に位置決めすることができ、
前記光コネクタアダプタは、アダプタ支持部材に取り付けられ、
前記ヘッド部は、一対の側壁を連結する連結壁の外面側に突設された弾性片を有し、
前記ヘッド部に光コネクタアダプタを収納したときに、前記弾性片が、前記ヘッド部に収納された光コネクタアダプタの上方に設けられている、前記アダプタ支持部材に対して固定の弾性片当接部材を押圧することで前記ヘッド部を前記位置決め部材に付勢するようにされ、
前記ヘッド部に収納した光コネクタアダプタに接続されている光コネクタから延出され前記作業用空間に通される光ファイバを前記延出シート部に離脱可能に引き留めるファイバ留め具が、一対の前記延出シート部の一方又は両方の前記作業用空間に臨む側に設けられていることを特徴とするコネクタ作業用補助具。
【請求項２】
前記延出シート部が透明又は半透明の樹脂製シートであり、延出シート部を介して作業用空間とは反対側の光ファイバを作業用空間側から透視可能になっていることを特徴とする請求項１記載のコネクタ作業用補助具。
【請求項３】
前記ヘッド部及び前記延出シート部を含む全体が、一枚のシートによって形成されていることを特徴とする請求項１又は２記載のコネクタ作業用補助具。
【請求項４】
前記光コネクタアダプタは、補助具載せ台の上側に設けられたアダプタ支持部材に上下多段に取り付けられ、前記ヘッド部の両側の側壁を連結する連結壁が上端、前記両側壁の連結壁とは反対側の端部が下端となる向きで、前記ヘッド部を前記補助具載せ台上に載せて前記下端を前記補助具載せ台の上面に当接させ、前記ヘッド部の前記内側空間に前記光コネクタアダプタを収納することで、前記線番表示が各光コネクタアダプタに位置決めされるようになっており、前記補助具載せ台が位置決め部材として機能することを特徴とする請求項１〜３のいずれかに記載のコネクタ作業用補助具。
【請求項５】
前記ヘッド部の一対の側壁を連結する連結壁を、前記ヘッド部の内側空間に収納した光コネクタアダプタに上から当接させることで、前記線番表示が各光コネクタアダプタに位置決めされるようになっており、前記光コネクタアダプタが位置決め部材として機能することを特徴とする請求項１〜３のいずれかに記載のコネクタ作業用補助具。
【手続補正２】
【補正対象書類名】明細書
【補正対象項目名】０００８
【補正方法】変更
【補正の内容】
【０００８】
上記課題を解決するために、本発明では以下の構成を提供する。
本発明では、光コネクタアダプタが上下多段に設けられているアダプタ配列部にて、前記光コネクタアダプタに対する光コネクタの着脱作業に用いられるコネクタ作業用補助具であって、ヘッド部と、前記ヘッド部の内側空間を介して両側の側壁から延出する一対の延出シート部とを具備し、前記ヘッド部に光コネクタアダプタを収納したときに、前記ヘッド部に収納された前記光コネクタアダプタに接続されている光コネクタから延出する光ファイバを、前記ヘッド部の両側の側壁及び両側壁から延出する一対の延出シート部の間に確保された作業用空間に通せるようになっており、前記ヘッド部が、連結壁と、この連結壁の両側から延出され、互いに離隔して設けられた一対の側壁とを具備して前記光コネクタアダプタを収納可能な門形に形成され、前記一対の延出シート部は、ヘッド部から遠い側ほど互いの距離が拡がる末広がりに設けられ、一方又は両方の延出シート部には、上下多段の前記光コネクタアダプタに対応する線番表示が、前記作業用空間の側から視認可能に設けられ、前記ヘッド部又は前記延出シート部は、前記アダプタ配列部に突設されている位置決め部材上に載せることで位置決めすることができ、これにより前記線番表示を、前記ヘッド部の内側の各光コネクタアダプタに対応する位置に位置決めすることができ、
前記光コネクタアダプタは、アダプタ支持部材に取り付けられ、前記ヘッド部は、一対の側壁を連結する連結壁の外面側に突設された弾性片を有し、前記ヘッド部に光コネクタアダプタを収納したときに、前記弾性片が、前記ヘッド部に収納された光コネクタアダプタの上方に設けられている、前記アダプタ支持部材に対して固定の弾性片当接部材を押圧することで前記ヘッド部を前記位置決め部材に付勢するようにされ、前記ヘッド部に収納した光コネクタアダプタに接続されている光コネクタから延出され前記作業用空間に通される光ファイバを前記延出シート部に離脱可能に引き留めるファイバ留め具が、一対の前記延出シート部の一方又は両方の前記作業用空間に臨む側に設けられていることを特徴とするコネクタ作業用補助具を提供する。
第２の発明は、前記延出シート部が透明又は半透明の樹脂製シートであり、延出シート部を介して作業用空間とは反対側の光ファイバを作業用空間側から透視可能になっていることを特徴とする第１の発明のコネクタ作業用補助具を提供する。
第３の発明は、前記ヘッド部及び前記延出シート部を含む全体が、一枚のシートによって形成されていることを特徴とする第１又は第２の発明のコネクタ作業用補助具を提供する。
第４の発明は、前記光コネクタアダプタは、補助具載せ台の上側に設けられたアダプタ支持部材に上下多段に取り付けられ、前記ヘッド部の両側の側壁を連結する連結壁が上端、前記両側壁の連結壁とは反対側の端部が下端となる向きで、前記ヘッド部を前記補助具載せ台上に載せて前記下端を前記補助具載せ台の上面に当接させ、前記ヘッド部の前記内側空間に前記光コネクタアダプタを収納することで、前記線番表示が各光コネクタアダプタに位置決めされるようになっており、前記補助具載せ台が位置決め部材として機能することを特徴とする第１〜３のいずれかの発明のコネクタ作業用補助具を提供する。
第５の発明は、前記ヘッド部の一対の側壁を連結する連結壁を、前記ヘッド部の内側空間に収納した光コネクタアダプタに上から当接させることで、前記線番表示が各光コネクタアダプタに位置決めされるようになっており、前記光コネクタアダプタが位置決め部材として機能することを特徴とする第１〜３のいずれかの発明のコネクタ作業用補助具を提供する。